(57)【要約】【課題】スピーカー装置と照明装置とが別体であるにも関わらず、照明装置を安定的に吊り下げることができる照明ユニットを提供する。【解決手段】照明ユニット１は、照明装置１０と、照明装置を吊り下げる吊り下げ部２０と、照明装置の上に配置され、音声出力するスピーカー装置３０と、を備える。また、スピーカー装置３０と照明装置１０との間にスピーカー装置３０の音声出力によって発生する振動を吸収する振動吸収部材が介在している。【選択図】図１
2014099378.tif 000002
【特許請求の範囲】
【請求項１】
照明装置と、
前記照明装置を吊り下げる吊り下げ部と、
前記照明装置の上に配置され、音声出力するスピーカー装置と、
を備え、
前記スピーカー装置と前記照明装置との間に前記スピーカー装置の音声出力によって発生する振動を吸収する振動吸収部材が介在している、
ことを特徴とする照明ユニット。
【請求項２】
前記スピーカー装置は、所定部分を前記照明装置に締め付けることによって、前記照明装置に固定され、
前記振動吸収部材は、前記所定部分と前記照明装置とに挟まれている、
ことを特徴とする請求項１に記載の照明ユニット。
【請求項３】
前記所定部分は、前記照明装置にネジによって締め付けられ、
前記ネジの頭と前記スピーカー装置との間に、前記スピーカー装置の振動を吸収する第２の振動吸収部材が挟まれている、
ことを特徴とする請求項２に記載の照明ユニット。
【請求項４】
前記スピーカー装置は、前記吊り下げ部を囲む形状であり、
前記スピーカー装置と向き合う前記吊り下げ部の外面と、前記吊り下げ部と向き合う前記スピーカー装置の内面と、の間には、前記スピーカー装置の振動を吸収する第３の振動吸収部材が介在している、
ことを特徴とする請求項１乃至３のいずれか１項に記載の照明ユニット。
【請求項５】
前記吊り下げ部は、前記照明ユニットの取り付け対象に取り付けられる取り付け部材と、前記取り付け部材に吊り下げられる吊り下げ部本体と、を有し、
前記吊り下げ部本体は、中空となっており、当該中空を形成する内面には前記取り付け部材の所定部が引っ掛かる第１の引っ掛け部及び前記第１の引っ掛け部よりも剛性の高い第２の引っ掛け部が前記吊り下げ部本体の延在方向に沿って並んで設けられ、
前記第２の引っ掛け部の方が前記第１の引っ掛け部よりも前記取り付け対象側に位置している、
ことを特徴とする請求項１乃至４のいずれか１項に記載の照明ユニット。
【発明の詳細な説明】
【技術分野】
【０００１】
本発明は、照明ユニットに関する。
【背景技術】
【０００２】
例えば、特許文献１の図４には、照明装置とスピーカー装置とが別体となっており、かつ、照明装置にスピーカー装置が取り付けられ、スピーカー装置が天井の所定部位に取り付けられる照明ユニットが開示されている。
【先行技術文献】
【特許文献】
【０００３】
【特許文献１】特開２００８−３５１３３号公報
【発明の概要】
【発明が解決しようとする課題】
【０００４】
照明装置とスピーカー装置とは、様々な事情（例えば、両者の製造場所又は製造会社が異なる、又は、スピーカー装置と照明装置との組合せのバリエーションを増やしたいなど）によって、特許文献１の図４の構造のように別体に製造されることがある。
【０００５】
しかし、このような構造では、照明装置がスピーカー装置を介して天井の所定部位に取り付けられ、吊り下げられている構造のため、スピーカー装置の音声出力による振動などによって、スピーカー装置と天井の所定部位との接続部分及びスピーカー装置と照明装置との接続部分に余計な負荷がかかることがあった。そして、これによって、照明装置の吊り下げが不安定になってしまうことがあった。なお、このような問題は、天井以外の部分から照明装置を吊り下げる場合も同じである。
【０００６】
本発明は、上記実情に鑑みてなされたものであり、スピーカー装置と照明装置とが別体であるにも関わらず、照明装置を安定的に吊り下げることができる照明ユニットを提供することを目的とする。
【課題を解決するための手段】
【０００７】
上記目的を達成するために、本発明に係る照明ユニットは、
照明装置と、
前記照明装置を吊り下げる吊り下げ部と、
前記照明装置の上に配置され、音声出力するスピーカー装置と、
を備え、
前記スピーカー装置と前記照明装置との間に前記スピーカー装置の音声出力によって発生する振動を吸収する振動吸収部材が介在している、
ことを特徴とする。
【発明の効果】
【０００８】
本発明によれば、スピーカー装置と照明装置とが別体であるにも関わらず、照明装置を安定的に吊り下げることができる。
【図面の簡単な説明】
【０００９】
【図１】本発明の一実施の形態に係る照明ユニットの断面などを示す図である。
【図２】図１の照明ユニットの一部についての分解斜視図である。
【図３】図１のスピーカー装置の内面を中心側から見た図である。
【図４】図１のスピーカー装置などを上方から見た図である。
【図５】図４のスピーカー装置の筐体とスピーカーとの関係を示すスピーカー装置の概略断面図である。
【図６】図１のスピーカー装置の内部構成図である。
【発明を実施するための形態】
【００１０】
図１〜６のように、照明ユニット１は、照明装置１０と、吊り下げ部２０と、スピーカー装置３０と、を備える。照明ユニット１は、天井３の所定部位に取り付けられるものである。この実施の形態では、所定部位は、電源部３ａである。電源部３ａは、天井３に設けられた、引掛シーリング、引掛ローゼットなどから構成される。電源部３ａは、照明ユニット１に電力を供給する商用電源でもある。なお、図１において、電源部３ａ及び天井３は、概略断面図として描き、断面を表すハッチング及び内部構造は省略した。照明装置１０にスピーカー装置３０が取り付けられ、スピーカー装置３０が取り付けられた照明装置１０は、吊り下げ部２０によって吊り下げられる。
【００１１】
照明装置１０は、照明天板１１と、カバー１２と、発光部１３と、制御部１４と、を備える。なお、図１において、発光部１３及び制御部１４は、概略断面図として描き、断面を表すハッチング及び内部構造は省略した。
【００１２】
照明天板１１は、金属などから構成され、中央に貫通孔を有する円板形状（ドーナツ板形状）である。照明天板１１には、発光部１３と制御部１４とが取り付けられている。制御部１４と発光部１３とは図示しない配線によって接続されている。また、照明天板１１には、後述の信号線Ｌ３が通る貫通孔１１ａが設けられる。
【００１３】
発光部１３は、ＬＥＤ（Light Emitting Diode）を用いた発光装置などによって構成され、電力が供給されることによって発光する。
【００１４】
制御部１４は、例えば、受信部、駆動回路などを備え、受信部（例えば、赤外線信号を受信する受光素子などを含んで構成される。）が受信した信号（例えば、照明装置１０のリモコンからの信号）に応じて駆動回路が発光部１３を点灯／消灯させたり、調光したりする。制御部１４には、電源部３ａから後述の電源接続部２１を介して電力が供給され（詳しくは後述する）、駆動回路は、この電力を発光部１３へ供給することによって発光部１３を点灯させ、この電力を発光部１３へ供給しないことによって発光部１３を消灯させる。このようにして、制御部１４は、ユーザの操作（例えば、リモコンへの操作）に基づいて、発光部１３の点灯、消灯などを制御する。さらに、制御部１４は、ユーザの操作に基づいて、駆動回路などによって発光部１３に供給される電力量（例えば、発光部１３に流れる電流）を調整することによって、発光部１３の明るさ（発光量）を調整する調光を行う。
【００１５】
カバー１２は、発光部１３からの光を散乱させて出射する部材であり、発光部１３及び制御部１４などを下側から覆う。カバー１２は、照明天板１１に適宜の方法（例えば、引っ掛け、ネジ止めなど）で固定される。カバー１２は、例えば、合成樹脂などによって構成される。
【００１６】
上記構成によって、照明装置１０には、電源部３ａから後述の電源接続部２１を介して電力が供給され、この電力によって、制御部１４の制御のもとで発光部１３が発光し、発光した光は、カバー１２で散乱して照明装置１０の外部へと出射する。これによって、天井３が設けられている部屋が照明されることになる。
【００１７】
吊り下げ部２０は、電源接続部２１と、第１筒状部材２２と、第２筒状部材２３と、を備え、照明装置１０から上方（天井３に向かう方向）に延在する部材であり、照明装置１０を電源部３ａから吊り下げる。なお、図１において、電源接続部２１は、概略断面図として描き、断面を表すハッチング及び内部構造は省略した。
【００１８】
電源接続部２１は、例えば、引っ掛け金具を電源部３ａの挿通孔に挿通し、電源接続部２１を回転させることによって、電源部３ａに、電源部３ａから脱落しないように、取り付けられるアダプターなどであり、電源部３ａからの交流電力を直流電力に変換する。
【００１９】
電源接続部２１は、略円柱状の電源接続部本体２１ａと、２つのツメ２１ｂと、を備える。電源接続部本体２１ａの外周面には、２つの貫通孔が形成され、この２つの貫通孔それぞれからツメ２１ｂが突出している。なお、ツメ２１ｂの数は、複数であれば、３つ以上であってもよい。ツメ２１ｂは、例えば、電源接続部本体２１ａ内部のバネなどの弾性部材によって、電源接続部本体２１ａの外側に向かって付勢されている。このため、ツメ２１ｂに所定方向の力が加わることによって、ツメ２１ｂは電源接続部本体２１ａの内部に引っ込むようになっている。
【００２０】
電源接続部本体２１ａには、配線Ｌ１及びＬ２がコネクタなどによって接続されている。配線Ｌ１は、スピーカー装置３０にコネクタなどによって接続される。電源接続部本体２１ａは、電源部３ａからの交流電力をスピーカー装置３０用の直流電力に変換し、配線Ｌ１を介してスピーカー装置３０に供給する。配線Ｌ２は、照明装置１０（制御部１４）にコネクタなどによって接続される。電源接続部本体２１ａは、電源部３ａからの交流電力を照明装置１０用の直流電力に変換し、配線Ｌ２を介して照明装置１０（制御部１４）に供給する。このようにして、電源接続部２１は電源３ａから供給される電力をスピーカー装置３０および照明装置１０に供給する役割を持っている。配線Ｌ１と配線Ｌ２とは、並列に電源接続部本体２１ａに接続されており、これによって、電源部３ａからの電力は、電源接続部本体２１ａから個別にスピーカー装置３０と照明装置１０とに供給される。
【００２１】
第１筒状部材２２は、金属板などによって形成される略円筒状の部材であり、円筒部分２２ａと、上端フランジ２２ｂと、下端フランジ２２ｃと、を備える。円筒部分２２ａは、円筒形状の部分である。上端フランジ２２ｂは、円筒部分２２ａの上端（天井３側の端）から円筒部分２２ａの内側に向かって水平（天井３の面内方向であり、図１では紙面縦方向）に張り出した部分である。下端フランジ２２ｃは、円筒部分２２ａの下端（天井３と反対側の端）から円筒部分２２ａの外側に向かって水平に張り出した部分である。上端フランジ２２ｂ及び下端フランジ２２ｃは、上方から見た場合にドーナツ形状になっている。
【００２２】
第２筒状部材２３は、合成樹脂製の略円筒状の部材であり、円筒部分２３ａと、上部フランジ２３ｂと、下端フランジ２３ｃと、を備える。円筒部分２３ａは、円筒形状の部分である。上部フランジ２３ｂは、円筒部分２２ａの上端から所定距離だけ離れた上端近傍から円筒部分２２ａの内側に向かって水平に張り出した部分である。下端フランジ２３ｃは、円筒部分２３ａの下端から円筒部分２３ａの外側に向かって水平に張り出した部分である。上部フランジ２３ｂ及び下端フランジ２３ｃは、上方から見た場合にドーナツ形状になっている。
【００２３】
第１筒状部材２２の円筒部分２２ａの内周面と第２筒状部材２３の円筒部分２３ａの外周面とは、略同様の直径となっており、第１筒状部材２２が第２筒状部材２３に上方から被さるようにして、両者は組み合わさって１つの筒状部材２４が構成されている。このとき、下端フランジ２２ｃと、下端フランジ２３ｃとは、組み合わさって１つのフランジが構成される。さらに上端フランジ２２ｂと、上部フランジ２３ｂとは、上下方向に離間して配置される。
【００２４】
下端フランジ２２ｃと下端フランジ２３ｃとが組み合わさったフランジ（筒状部材２４のフランジ）には、複数の貫通孔が設けられる。これら複数の貫通孔それぞれは、下端フランジ２２ｃに設けられた貫通孔と、下端フランジ２３ｃに設けられた貫通孔とが連通したものであるので、以下では連通孔という。連通孔には、ネジ９ｂが通る。照明天板１１には、これら各連通孔と対応して、ネジ９ｂと螺合するネジ穴が複数形成されている。各ネジ９が各連通孔を通って照明天板１１のネジ穴と螺合することによって、筒状部材２４（第１筒状部材２２及び第２筒状部材２３）は、照明天板１１（照明装置１０）の上面中央に回転不能に取り付けられている。つまり、筒状部材２４は、照明装置１０に取り付けられることになる。
【００２５】
この実施の形態では、ネジ９ｂによって、第１筒状部材２２と第２筒状部材２３との両者が重ねて、照明天板１１に固定されているので、両者は互いに固定されなくてもよいが、両者を、接着することなどによって、互いに固定してもよい。また、第１筒状部材２２をインサートするインサート成型などによって、第１筒状部材２２と第２筒状部材２３とを一体成型することによって、筒状部材２４を一体的に形成してもよい。
【００２６】
また、筒状部材２４の円筒部分（円筒部分２２ａと円筒部分２３ａとが組み合わさった部分）には、四角形状の貫通孔２４ａ及び貫通孔２４ｂが形成されている。貫通孔２４ａと、貫通孔２４ｂとは、大きさ（円筒部分の周方向に沿った寸法及び上下方向に沿った）が異なる。貫通孔２４ａ及び貫通孔２４ｂそれぞれには、スピーカー装置３０の弾性部分３３ａのツメ３３ａａ（詳しくは後述）及び弾性部分３３ｂのツメ３３ｂａ（詳しくは後述）が入り込む。また、貫通孔２４ｂには、スピーカー装置３０に接続された配線Ｌ１が通っている。このため、貫通孔２４ｂの寸法（特に上下方向に沿った寸法）は、貫通孔２４ａよりも大きくなっている。貫通孔２４ａの幅（周方向に沿った寸法）は、弾性部分３３ａのツメ３３ａａの幅と略同じになっており、貫通孔２４ｂの幅は、弾性部分３３ｂのツメ３３ｂａの幅（弾性部分３３ａのツメ３３ａａの幅とは異なる）と略同じになっている。このため、筒状部材２４とスピーカー装置３０との位置関係（上方から見たときの筒状部材２４に対するスピーカー装置３０の回転角度）は、一意に決まる。
【００２７】
上部フランジ２３ｂの下面には、電源接続部２１のツメ２１ｂが引っ掛かるようになっている。これによって、筒状部材２２は、電源接続部２１から脱落しないように、電源接続部２１に取り付けられる。筒状部材２４には、照明装置１０が取り付けられ、照明装置１０には、スピーカー装置３０が取り付けられるので、上部フランジ２３ｂは、実質的にスピーカー装置３０及び照明装置１０などの重量が負荷される。このため、上部フランジ２３ｂは、破損又は変形しないように補強リブ（例えば、上部フランジ２３ｂと一体的に形成される。）などによって補強されていることが望ましい。
【００２８】
また、上部フランジ２３ｂと、上端フランジ２２ｂとは、その間にツメ２１ｂが入り込むことが可能な距離だけ離れている。また、上端フランジ２２ｂの下面には、上部フランジ２３ｂと同様に、電源接続部２１のツメ２１ｂが引っ掛かるようになっている。上端フランジ２２ｂの方が上部フランジ２３ｂよりも天井３側に位置するため、万が一、照明装置１０が取り付けられた筒状部材２４が脱落するようなことがあっても、ツメ２１ｂが上端フランジ２２ｂに引っ掛かるため、照明装置１０などが脱落しないようになっている。上端フランジ２２ｂは、金属製であるので、上部フランジ２３ｂよりも強度が強く、上端フランジ２２ｂによって脱落に対する安全性が保証される。
【００２９】
また、上部フランジ２３ｂと、上端フランジ２２ｂとは、両方とも、ツメ２１ｂが引っ掛かるように構成されているので、筒状部材２４の取り付け位置を天井３に近くしたり、遠くしたりすることができる。つまり、ユーザによって、照明ユニット１の取り付け位置を調整できる。また、電源部３ａの長さが短い場合には、上端フランジ２２ｂにツメ２１ｂを引っ掛ければよいので、照明ユニット１は、電源部３ａの長さに応じた取り付けが可能になる。なお、筒状部材２４の電源接続部２１への取り付け方法は、上記に限られず適宜の方法で行われる。また、筒状部材２４と電源接続部２１とは、一体となったものであってもよい。
【００３０】
電源部３ａに電源接続部２１が取り付けられ、電源接続部２１に筒状部材２４が取り付けられることによって、電源部３ａに吊り下げ部２０の上部が取り付けられる。一方、吊り下げ部２０の下部には、照明装置１０が固定される。このような構成によって、吊り下げ部２０は、照明装置１０（及びスピーカー装置３０）を電源部３ａから脱落しないように吊り下げる。
【００３１】
スピーカー装置３０は、スピーカー３８ａ、３８ｂ、３８ｃ（以下、これらを総称してスピーカー３８という場合がある。）を少なくとも内部に備える装置であり、音声（音によって構成されるもの全般のことをいい、歌を含まない音楽、効果音なども含む。）をスピーカー３８から出力する。この実施の形態では、スピーカー装置３０は、スピーカー３８の他、受信部３６と制御部３７とを備える（図６参照）。受信部３６、制御部３７などは、電源部３ａから電源接続部２１、配線Ｌ１を介して供給される電力により動作する。なお、図１において、スピーカー装置３０は、概略断面図として描き、内部構造は省略した。
【００３２】
受信部３６は、所定の通信モジュールなどを含んで構成され、音源装置であるデジタルメディアサーバ（ＤＭＳ）からＤＬＮＡの規格に則って伝送されてくる音声信号や、各種音源装置（各種オーディオ機器など、パーソナルコンピュータ、多機能な携帯端末などを含む。）から所定の規格（例えば、Ｂｌｕｅｔｏｏｔｈ（登録商標）など）に則って伝送されてくる音声信号、前記の各種音源装置や所定のリモコン装置などから電送されてくるコマンド信号（ボリュームの大小を指示する信号など）を受信可能に構成されている。なお、ＤＭＳとしては、例えばパーソナルコンピュータやセットトップボックス、デジタルカメラやビデオカメラ、多機能な携帯端末などが挙げられる。受信部３６は、例えば、制御部３７によって制御される。
【００３３】
制御部３７は、マイクロコンピュータやアンプなどを含んで構成される。制御部３７は、例えば、マイクロコンピュータによって制御されるアンプによって、受信部３６から入力される音声信号の信号レベルを増幅してスピーカー３８に出力する。スピーカー３８は、アンプから出力された音声信号に従って音声を出力する。これによって、スピーカー３８からは、音声が出力され、音声が流れる。また、制御部３７（マイクロコンピュータ）は、受信部３６が受信したコマンド信号に応じて、アンプの信号レベルの増幅率などを変更し、スピーカー３８から流れる音の大小（音量）を変更させることもできる。
【００３４】
この実施の形態におけるスピーカー装置３０の外観形状（筐体（例えば、合成樹脂製である）の外観形状）は、所定の厚さを持つ略円筒形状（略ドーナツ形状）であり、吊り下げ部２０を囲む形状である。つまり、スピーカー装置３０は、中央に吊り下げ部２０が通る貫通孔を備える。また、スピーカー装置３０の外周面下端部には、外側に向かって張り出したフランジ３１（照明天板１１の形状にあわせて上下方向に段差が設けられている。）を備える。フランジ３１は、複数（ここでは、４つ）設けられる。各フランジ３１にはネジ９ａが中を通る貫通孔が形成される。照明天板１１には、これら貫通孔に対応して、ネジ９ａそれぞれと螺合するネジ穴が複数形成されている。各ネジ９ａが各貫通孔を通って照明天板１１のネジ穴と螺合することによって、各ネジ９ａによって各フランジ３１が照明装置１０に締め付け固定される。これによって、スピーカー装置３０は、照明天板１１（照明装置１０）の上面に回転不能に取り付けられている。つまり、スピーカー装置３０は、照明装置１０に取り付けられることになる。
【００３５】
各フランジ３１について、ネジ９ａがネジ穴と螺合するとき（締め付け固定されるとき）に、振動吸収部材４３ａ及び振動吸収部材４３ｂがワッシャー（座金）として挟み込まれる。振動吸収部材４３ａ及び振動吸収部材４３ｂは、それぞれ、ネジ９ａが通る貫通孔を中央に有するドーナツ形状になっている。振動吸収部材４３ａは、ネジ９ａの頭とフランジ３１との間に挟み込まれる。振動吸収部材４３ｂは、フランジ３１と照明天板１１（照明装置１０の上面）との間に挟み込まれる。
【００３６】
振動吸収部材４３ａ及び振動吸収部材４３ｂは、振動を吸収可能なように（例えば、弾性を有するように）形成され、ＰＢＴなどの合成樹脂、天然ゴムなどの適宜の材料によって形成される。この実施の形態では、振動吸収部材４３ａ及び振動吸収部材４３ｂは、スピーカー装置３０の音声出力による振動を吸収するためのものである。振動吸収部材４３ａは、ネジ９ａにスピーカー装置３０の振動が伝わりにくくし、ネジ９ａをゆるみにくくするなどする。振動吸収部材４３ｂは、照明装置１０にスピーカー装置３０の振動が伝わりにくくし、照明装置１０と吊り下げ部２０との固定部分（例えば筒状部材２４のフランジ部分）などに余計な負荷をかかりにくくする。
【００３７】
また、スピーカー装置３０の下面と照明装置１０の照明天板１１の上面との間には、振動吸収部材４２が配置される。振動吸収部材４２は、振動を吸収可能なように（例えば、弾性を有するように）形成され、ＰＢＴなどの合成樹脂、天然ゴムなどの適宜の材料によって形成される。振動吸収部材４２は、スピーカー装置３０と照明装置１０との間に挟まれる。
【００３８】
この実施の形態では、振動吸収部材４３ｂ及び振動吸収部材４２が、スピーカー装置３０と照明装置１０との間に介在し、スピーカー装置３０と照明装置１０とが直接接触（特に面接触）しないようになっている。振動吸収部材４３ｂ及び振動吸収部材４２が介在することによって、照明装置１０にスピーカー装置３０の振動が伝わりにくくし、照明装置１０と吊り下げ部２０との固定部分（例えば筒状部材２４のフランジ部分）などに余計な負荷をかかりにくくする。
【００３９】
スピーカー装置３０の内面には、対向する２つの位置に凹部３２ａ、３２ｂが形成されている。
【００４０】
凹部３２ａの内面のうち筒状部材２４の円筒部分に対向する対向面からは、筒状部材２４に向かって延びてから下方に向かって延びる板状の部材である弾性部分３３ａが形成されている。弾性部分３３ａの下端には、筒状部材２４側に突出し、筒状部材２４に設けられた貫通孔２４ａに入り込むツメ３３ａａが設けられている。弾性部分３３ａは、板状部材であるので、ツメ３３ａａが前記対向面に向かって移動するように弾性変形可能となっている。
【００４１】
凹部３２ｂの内面のうち筒状部材２４の円筒部分に対向する対向面からは、筒状部材２４に向かって延びてから下方に向かって延びる板状の部材である弾性部分３３ｂが形成されている。弾性部分３３ｂの下端には、筒状部材２４側に突出し、筒状部材２４に設けられた貫通孔２４ｂに入り込むツメ３３ｂａが設けられている。弾性部分３３ｂは、板状部材であるので、ツメ３３ｂａが前記対向面に向かって移動するように弾性変形可能となっている。
【００４２】
ツメ３３ａａが貫通孔２４ａに入り込み、ツメ３３ｂａが貫通孔２４ｂに入り込むことで、スピーカー装置３０の位置決めがなされる。ツメ３３ａａやツメ３３ｂａは主に位置決めのためのものになっている。
【００４３】
また、スピーカー装置３０の内面のうち、凹部３２ａ、３２ｂの近傍には、振動吸収部材４４が配置される。振動吸収部材４４は、振動を吸収可能なように（例えば、弾性を有するように）形成され、ＰＢＴなどの合成樹脂、天然ゴムなどの適宜の材料によって形成される。振動吸収部材４４は、スピーカー装置３０と筒状部材２４との間に挟まれる。スピーカー装置３０の内面は、筒状部材２４の外面と離間する。つまり、スピーカー装置３０と筒状部材２４との間には、振動吸収部材４４が介在し、両者が直接接触（特に面接触）しないようになっている（ツメ３３ａａ及びツメ３３ｂａなどの、実質的に振動を伝えにくい部分については接触していてもよい）。振動吸収部材４４が介在することによって、スピーカー装置３０の音声出力による振動を筒状部材２４（吊り下げ部２０）に伝わりにくくし、照明装置１０と吊り下げ部２０との固定部分（例えば筒状部材２４のフランジ部分）や、吊り下げ部２０の電源部３ａへの取り付け箇所（具体的には、電源接続部２１と電源部３ａとの接続部分）に余計な負荷をかかりにくくする。
【００４４】
スピーカー装置３０の上面には、水平方向に対して傾斜している傾斜面３９ａ、３９ｂが設けられている。傾斜面３９ａ、３９ｂは、この実施の形態では、曲面によって構成されるが、平面によって構成されてもよい。上記傾斜面３９ａ、３９ｂには、露出孔が設けられ、これらによってスピーカー３８ａ、３８ｂそれぞれの放音面（音声が出力される面）が天井に対して斜めになった状態で露出している。また、スピーカー装置３０の上面には、一段下がった窪みが設けられ、この窪みに、上下方向に延び、天井３に向く方向に配置されたスピーカー３８ｃの放音面を露出させる露出孔が設けられている。このようにして、スピーカー３８ａ、３８ｂ、３８ｃそれぞれの放音方向が異なる方向に設定されることによって、音を効果的に拡散させることができる。また、スピーカー３８の放音面を所定部材によって覆うようにして、音声を所定部材（例えば、図２における点線で描いたカバー部材）によって拡散させるようにしてもよい。スピーカー３８から出力された音声は天井又は所定部材によって拡散されるなどして、部屋内のユーザ（音声聴取者）に効率良く到達する。
【００４５】
照明ユニット１は、更に、回転抑制部材４１を備える。回転抑制部材４１は、スピーカー装置３０の上面の所定位置に接着剤、両面テープなどによって固定されており、スピーカー装置３０の上面と天井３とに挟み込まれている。回転抑制部材４１は、摩擦係数の大きな第１部材４１ａ（例えば、スポンジ、ゴムなどから構成される）と、第１部材４１ａよりも柔軟性があり、主にスピーカー装置３０の振動を吸収するための第２部材４１ｂ（例えば、合成樹脂や天然ゴムなどによって形成され、弾性を有する。）からなる。第１部材４１ａと第２部材４１ｂとは、互いに接着剤、両面テープなどによって固定されている。回転抑制部材４１は、１つの部材であってもよい。回転抑制部材４１は、天井３と接する第１部材４１ａによって、天井３との間の摩擦によってスピーカー装置３０が天井３に対して回転し難くする。さらに、回転抑制部材４１は、第１部材４１ａと第２部材４１ｂとによって、スピーカー装置３０の振動を天井３に伝えにくくし、この振動による天井３からの反作用などによって（例えば、スピーカー装置３０が天井３に接触していることを考えた場合）、スピーカー装置３０が回転してしまうことも防止する。回転抑制部材４１の形状は、直方体形状など、適宜の形状であればよい。
【００４６】
なお、照明装置１０とスピーカー装置３０とは、信号線Ｌ３によって接続される。具体的には、照明装置１０の制御部１４とスピーカー装置３０の制御部３７とが、照明天板１１に設けられた貫通孔１１ａを通る信号線Ｌ３で接続され、信号線Ｌ３を介して両者間で制御信号などがやり取りされる（一方通行であってもよい。）。これによって、照明装置１０とスピーカー装置３０とが情報をやり取りしたり、連携して動作したりすることもできる。
【００４７】
例えば、制御部３７は、現在のスピーカー３８の音量に応じた発光量を指定する制御信号を、信号線Ｌ３を介して制御部１４に供給する。制御部３７は、例えば、音量と発光量（例えば、電力供給量などで規定されてもよい。）とを対応付けた対応表を記憶しておき、この対応表を参照し、現在のスピーカー３８の音量に対応する発光量を取得し、取得した発光量を指定する制御信号を制御部１４に供給する。制御部１４は、供給された制御信号が指定する発光量に基づいて発光部１３に供給する電力量などを調整することによって調光する。これによって、照明装置１０とスピーカー装置３０とは連携した動作を行うことができる。
【００４８】
反対に、例えば、制御部１４は、発光量に応じた音量を指定する制御信号を、信号線Ｌ３を介して制御部３７に供給する。制御部１４は、例えば、発光量（例えば、電力供給量などで規定されてもよい。）と音量とを対応付けた対応表を記憶しておき、この対応表を参照し、現在の発光量に対応する音量を取得し、取得した音量を指定する制御信号を制御部３７に供給する。制御部３７は、供給された制御信号が指定する音量になるような調整を行う。これによって、照明装置１０とスピーカー装置３０とは連携した動作を行うことができる。
【００４９】
照明ユニット１の組立方法などの概略を説明する。
【００５０】
例えば、電源部３ａに電源接続部２１（配線Ｌ１及び配線Ｌ２が接続されている。）を取り付ける一方、発光部１３、制御部１４、振動吸収部材４２が取り付けられた照明天板１１に筒状部材２４をネジ９ｂによって取り付ける。振動吸収部材４２は、照明天板１１の上面に両面テープ、接着剤などでを取り付けられる。筒状部材２４を取り付けた前記の照明天板１１を部材Ａとする。
【００５１】
また、スピーカー装置３０の内面に振動吸収部材４４を両面テープ、接着剤などで取り付ける。また、回転抑制部材４１を両面テープ、接着剤などで取り付けたスピーカー装置３０の上面に取り付ける。その後、スピーカー装置３０を上から、中央に筒状部材２４が通るように、部材Ａに取り付ける。このとき、貫通孔４３ａに弾性部分３３ａのツメ３３ａａが入り込むように、さらに、貫通孔４３ｂに弾性部分３３ｂのツメ３３ｂａが入り込むように、スピーカー装置３０を位置合わせする。スピーカー装置３０を上方から下方に移動させるときは、ツメ３３ａａ、３３ｂａが筒状部材２４の外面に押されて、ツメ３３ａａ、３３ｂａが筒状部材２４から離れる方向に移動するように弾性部分３３ａ、３３ｂが弾性変形する。ツメ３３ａａ、３３ｂａが貫通孔４３ａ、４３ｂに到達すると、ツメ３３ａａ、３３ｂａが貫通孔４３ａ、４３ｂに入り込み、弾性部分３３ａ、３３ｂがもとの状態にもどる。さらに、スピーカー装置３０を上方から下方に移動させるときは、振動吸収部材４４は筒状部材２４の外面を摺動する。また、振動吸収部材４３ａ及び４３ｂを挟み込んで、ネジ９ａによってスピーカー装置３０を部材Ａに固定する。このとき、信号線Ｌ３を制御部１４に接続し、スピーカー装置３０に接続する。このように組み上げられた部材を部材Ｂとする。
【００５２】
そして、部材Ｂを下側から天井３に向かって持ち上げ、筒状部材２４の内部に電源接続部２１を通す。このとき、第１筒状部材２２の上端フランジ２２ｂがツメ２１ｂを押し、ツメ２１ｂは、電源接続部本体２１ａ内に引っ込む。その後、ツメ２１ｂが上端フランジ２２ｂを通りすぎると、ツメ２１ｂは、電源接続部本体２１ａから突出し、上端フランジ２２ｂと第２筒状部材２３の上部フランジ２３ｂとの間に設けられた空間に入り込む。これによって、まず、上端フランジ２２ｂにツメ２１ｂが引っ掛かる状態になるので、部材Ｂは、第１の位置で電源接続部２１に吊り下げられることになる。さらに、部材Ａを天井３に向かって持ち上げると、上部フランジ２３ｂがツメ２１ｂを押し、ツメ２１ｂは、電源接続部本体２１ａ内に引っ込む。その後、ツメ２１ｂが上部フランジ２３ｂを通りすぎると、ツメ２１ｂは、電源接続部本体２１ａから突出し、第２筒状部材２３の上部フランジ２３ｂの下部の空間に入り込む。これによって、上部フランジ２３ｂにツメ２１ｂが引っ掛かる状態になるので、部材Ｂは、第１の位置よりも天井３側の位置の第２の位置で、電源接続部２１に吊り下げられることになる。なお、第１の位置で部材Ｂを吊り下げた場合でも、第２の位置で部材Ｂを吊り下げた場合でも、回転抑制部材４１が天井３とスピーカー装置３０とに挟まれる。但し、第２の位置で部材Ｂを吊り下げた場合の方が回転抑制部材４１がより変形して天井３とスピーカー装置３０とに挟みこまれる。
【００５３】
そして、配線Ｌ１及び配線Ｌ２それぞれを、スピーカー装置３０及び制御部１４に接続する。そして、カバー１２を照明天板１１に取り付ける。これによって、照明ユニット１は、天井３の電源部３ａに取り付けられる。
【００５４】
この実施の形態では、上記構成によって、照明装置１０から天井３（上方）に向かって延在し、照明装置１０を天井３から離間した状態で天井３の所定部位（ここでは、電源３ａ）から吊り下げる吊り下げ部２０と、照明装置１０を所定部位から吊り下げた場合に照明装置１０と天井３との間に配置され、音声出力するスピーカー装置３０と、が構成され、スピーカー装置３０と照明装置１０との間にスピーカー装置１０の振動を吸収する振動吸収部材４３ｂ及び振動吸収部材４２を介在させているので、スピーカー装置３０の振動が振動吸収部材４３ｂ及び振動吸収部材４２によって吸収され、照明装置１０に伝わりにくくなり（完全に伝わらないことを含む。伝わりにくいについて同じ。）、照明装置１０と吊り下げ部２０との固定部分（例えば筒状部材２４のフランジ部分）などに余計な負荷をかかりにくくする（完全にかからないことを含む。かかりにくいについて同じ。他の「にくい」との表現についても同様）。余計な負荷がかかってしまうと、前記固定部分の破損などによって、照明ユニット１の特に照明装置１０などが脱落する可能性が高まるが、余計な負荷をかかりにくくした本実施形態の構成によれば、照明装置１０を安定的に天井の電源部３ａから吊り下げることができる。
【００５５】
また、この実施の形態では、上記の構成によって、振動吸収部材４３ｂ及び振動吸収部材４２が、スピーカー装置３０と照明装置１０との間に介在し、スピーカー装置３０と照明装置１０とが直接接触（特に面接触）しないようになっている。このため、振動がより伝わりにくく、照明装置１０を安定的に天井の電源部３ａから吊り下げることができる。なお、スピーカー装置３０と照明装置１０とが直接接触する部分があったとしても、振動吸収部材４３ｂ及び振動吸収部材４２によってある程度の振動吸収効果が得られるので、照明装置１０を安定的に天井の電源部３ａから吊り下げることができる。これは、振動吸収部材４３ｂ及び振動吸収部材４２のいずれかを省略しても同様である。なお、直接接触する部分は、スピーカー装置３０の振動が照明装置１０に実質的に伝わらないような、面積の少ない部分とするとよい。
【００５６】
また、この実施の形態では、上記の構成によって、スピーカー装置２０は、照明装置１０にネジ９ａによって固定され、振動吸収部材４３ｂは、ネジ９ａが挿通され、スピーカー装置３０と照明装置１０とに挟まれているワッシャーとなっている。スピーカー装置３０におけるネジ９ａで固定される部分（ここでは、フランジ３１）は、ネジ９ａの締め付けによって、単に接触する場合よりも、強い力で照明装置１０に押さえつけられるので、スピーカー装置３０の振動も照明装置１０により伝達されやすくなる。そこで、振動吸収部材４３ｂをスピーカー装置３０と照明装置１０とに挟み込んだので、スピーカー装置３０の振動は振動吸収部材４３ｂに吸収され、照明装置１０と吊り下げ部２０との固定部分（例えば筒状部材２４のフランジ部分）などに余計な負荷をかかりにくくする。余計な負荷をかかりにくくしたこの構成によれば、照明装置１０をより安定的に天井の電源部３ａから吊り下げることができる。
【００５７】
また、この実施の形態では、上記構成によって、ネジ９ａが挿通され、ネジ９ａの頭とスピーカー装置３０（ここではフランジ３１）との間に挟まれている、スピーカー装置３０の振動を吸収する振動吸収部材４３ａを設けたので、振動吸収部材４３ａは、ネジ９ａにスピーカー装置３０の振動が伝わりにくくし、ネジ９ａをゆるみにくくするなどする。さらに、ネジ９ａは、照明装置１０のネジ穴と螺合するので、仮に振動吸収部材４３ａを設けないとすると、スピーカー装置３０の振動がネジ９ａに伝わり、照明装置１０にも伝わってしまう恐れがある。しかし、振動吸収部材４３ａを設けたので、照明装置１０にネジ９ａを介してスピーカー装置３０の振動が伝わりにくくし、照明装置１０と吊り下げ部２０との固定部分（例えば筒状部材２４のフランジ部分）などに余計な負荷をかかりにくくする。これによって、照明装置１０をより安定的に天井の電源部３ａから吊り下げることができる。
【００５８】
また、この実施の形態では、上記構成によって、スピーカー装置３０は、吊り下げ部２０を囲む形状であり、スピーカー装置３０と向き合う吊り下げ部２０の外面と、吊り下げ部２０と向き合うスピーカー装置３０の内面と、の間に、スピーカー装置３０の振動を吸収する振動吸収部材４４を介在させたので、スピーカー装置３０の振動が振動吸収部材４４によって吸収され、スピーカー装置３０の音声出力による振動を筒状部材２４（吊り下げ部２０）に伝わりにくくし、照明装置１０と吊り下げ部２０との固定部分（例えば筒状部材２４のフランジ部分）や、吊り下げ部２０の電源部３ａへの取り付け箇所（具体的には、電源接続部２１と電源部３ａとの接続部分）に余計な負荷をかかりにくくする。余計な負荷がかかってしまうと、前記固定部分や取り付け箇所の破損などによって、照明装置１０及びスピーカー装置３０などが電源部３ａから脱落する可能性が高まるが、余計な負荷をかかりにくくした本実施形態の構成によれば、照明装置１０を安定的に天井の電源部３ａから吊り下げることができる。
【００５９】
特に、この実施の形態では、上記構成によって、振動吸収部材４４が、スピーカー装置３０と筒状部材２４との間に介在しているので、振動がより伝わりにくく、照明装置１０を安定的に天井の電源部３ａから吊り下げることができる。なお、スピーカー装置３０と吊り下げ部２０とが直接接触する部分があったとしても、振動吸収部材４４によってある程度の振動吸収効果が得られるので、照明装置１０を安定的に天井の電源部３ａから吊り下げることができる。なお、直接接触する部分は、スピーカー装置３０の振動が照明装置１０に実質的に伝わらないような面積の少ない部分とするとよい（例えば、ツメ３２ａａやツメ３３ｂａなど）。
【００６０】
また、この実施の形態では、上記構成によって、吊り下げ部２０は、天井３の電源３ａに取り付けられる取り付け部材（ここでは、電源接続部２１）と、取り付け部材に吊り下げられる吊り下げ部本体（ここでは、筒状部材２４）と、を有し、吊り下げ部本体は、中空となっており、当該中空を形成する内面には取り付け部材の所定部位（ここでは、ツメ２１ｂ）が引っ掛かる第１の引っ掛け部（ここでは、第２筒状部材２３の上部フランジ２３ｂ）及び第１の引っ掛け部よりも剛性の高い第２の引っ掛け部（ここでは、第１筒状部材２２の上端フランジ２２ｂであり、金属でできているので強度が高くなっている。）が吊り下げ部２０の延在方向（ここでは、上方、つまり、天井３の法線方向）に沿って並んで設けられ、第２の引っ掛け部の方が第１の引っ掛け部よりも天井側に位置している。このような構成によって、照明装置１０などが取り付けられた筒状部材２４が脱落するようなことがあっても、ツメ２１ｂが上端フランジ２２ｂに引っ掛かるため、照明装置１０などが脱落しないようになっている。上端フランジ２２ｂは、上部フランジ２３ｂよりも剛性が高いので、上端フランジ２２ｂによって脱落に対する安全性が保証される。
【００６１】
また、この実施の形態では、上記構成によって、第１の引っ掛け部と、第２の引っ掛け部とは、両方とも、取り付け部材の所定部位が引っ掛かるように構成されているので、吊り下げ部の取り付け位置を天井３に近くしたり、遠くしたりすることができる。つまり、ユーザによって、照明ユニット１の取り付け位置を調整できる。また、電源部３ａの長さが短い場合には、第２の引っ掛け部に取り付け部材の所定部位を引っ掛ければよいので、照明ユニット１は、電源部３ａの長さ（所定部位の上下方向の長さ）に応じた取り付けが可能になる。なお、上端フランジ２２ｂ及び上部フランジ２３ｂは、適宜変更されてもよい。
【００６２】
また、上記実施形態のように、照明装置１０は、照明装置１０から上方に延在する吊り下げ部２０によって吊り下げられ、スピーカー装置３０が吊り下げ部２０を囲み吊り下げ部２０に取りつけられることで、天井３と照明装置１０との間に位置するので、別体であるスピーカー装置３０と照明装置１０とを天井に配置することができるにも関わらず、電源部３ａからの照明装置１０の吊り下げについてスピーカー装置３０が介在しないので、電源部３ａと吊り下げ部２０との接続部及び吊り下げ部２０と照明装置１０との接続部に余計な負荷がかかりにくく、照明装置１０を安定的に天井の電源部３ａから吊り下げることができる。
【００６３】
また、上記実施の形態では、吊り下げ部２０は、照明装置１０の中央から上方に延在し、照明装置１０を照明装置１０の中央で吊り下げるので、照明装置１０をバランス良く吊り下げることができる。さらに、スピーカー装置３０は、照明装置１０の中央から上方に延在する吊り下げ部２０を囲む形状を有するため、スピーカー装置３０は、吊り下げ部２０にバランス良く取りつけられ、上記各接続部にスピーカー装置３０の偏りによる余計な負荷がかかりにくく、照明装置１０を安定的に天井の電源部３ａから吊り下げることができる。また、スピーカー装置３０は、吊り下げ部２０を囲むことで、スピーカー装置３０は、吊り下げ部２０の少なくとも一部（上記実施の形態では、一部であるが、吊り下げ部２０の形状によっては全部。）をその内側（貫通孔３００ａ内部）に収容するので、照明ユニット１は上下方向（図１の紙面横方向）においてコンパクトになる。
【００６４】
従来は、スピーカー装置３０や照明装置１０へ何らかの理由によって回転させる力が加わると吊り下げ部２０も回転しようとする場合（スピーカー装置３０の振動による場合を含む。）があった。この場合、吊り下げ部２０と電源部３ａとの接続部に余計な負荷がかかる可能性があった。また、吊り下げ部２０の電源接続部２１が電源部３ａに回転させて着脱される場合（例えば、電源部３ａが引掛シーリングなどである場合）において吊り下げ部２０が電源部３ａから外れる方向に回転したりする可能性もある（例えば、筒状部材２４が回転し、摩擦力によって電源接続部２１も一緒に回転する場合）。そして、吊り下げ部２０（照明装置１０）が脱落する可能性があった。この実施の形態では、スピーカー装置３０及び照明装置１０は、吊り下げ部２０（特に、筒状部材２４
）に回転不能になっているため、スピーカー装置３０、照明装置１０、及び、吊り下げ部２０（特に筒状部材２４）は一体的に回転するようになっている。さらに、回転抑制部材４１を設けたことによってスピーカー装置３０が天井３に対して回転しにくくなっているので、照明装置１０、吊り下げ部２０、及び、スピーカー装置３０のいずれかに回転力が加わったとしても、照明装置１０、吊り下げ部２０、及び、スピーカー装置３０は、全体として、天井３に対して回転しにくくなっている。これによって、吊り下げ部２０が天井３に対して回転し難くなっている又は回転しないようになっているので、上記不都合は解消される。さらに、回転抑制部材４１は、スピーカー装置３０の振動を吸収して天井３に伝えにくくし、この振動による天井３からの反作用などによって（例えば、スピーカー装置３０が天井３に接触している場合）、スピーカー装置３０が回転してしまうことも防止するので、上記不都合が解消される。さらに、回転抑制部材４１を、隣り合う２つのスピーカー３８（例えば、スピーカー３８ａと３８ｃ、スピーカー３８ｂと３８ｃ）の間に配置することによって、振動を効率よく吸収できる。
【００６５】
電源部３ａから電源接続部２３０を介して照明装置１０とスピーカー装置３０との両者に電力を供給する際、この実施の形態で示す構造の他、電源接続部２３０から配線にて照明装置１０にまず電力を供給し、照明装置１０から配線にてスピーカー装置３０へ電力を供給させる構造、又は、電源接続部２１から配線にてスピーカー装置３０にまず電力を供給し、スピーカー装置３０から配線にて照明装置１０へ電力を供給させる構造も考えられる。しかし、これらの構造にすると、照明装置１０とスピーカー装置３０とを接続する、電力用の配線と信号線Ｌ３とを、近接して配置する（例えば、両者を纏めて貫通孔１１ｂに通す）ことになる。これは、例えば、配線と信号線Ｌ３との扱いを容易化するためなどの理由による。しかし、電力用の配線と信号線Ｌ３とを、近接して配置すると、電力用の配線を流れる電流などによって発生するノイズが信号線Ｌ３にのってしまい、不具合が生じる場合がある。
【００６６】
本実施の形態では、上記の構成によって、電源部３ａからの電力を照明装置１０に供給する配線Ｌ１と、電源部３ａからの電力をスピーカー装置３０に供給する配線Ｌ２と、が設けられている。このため、照明装置１０とスピーカー装置３０との間での電力供給が不要になり、電力用の配線（配線Ｌ１及び配線Ｌ２）と信号線Ｌ３とを近接して設ける必要が無くなり、ノイズによる不具合を防止又は起こり難くすることができる。なお、このような不都合は、図１に例示するように、電力供給のための配線Ｌ１及び配線Ｌ２が吊り下げ部材２０内を通って、照明装置１０とスピーカー装置３０とのそれぞれに接続される一方、信号線Ｌ３が吊り下げ部材２０内を通らないようにすることでも解消されている。
【００６７】
本発明は、上記実施の形態に限られるものではなく、上記実施の形態について様々な変形が可能である。以下にその例を示すが、下記変形例それぞれの少なくとも一部は、適宜組み合わせることができる。
【００６８】
（変形例１）
照明ユニット１の取り付け対象は、天井３の電源部３ａの他、他の部分であってもよい。照明ユニット１の取り付け対象は、例えば、照明ユニット１から見て上にある上部位置の所定部位であればよい。なお、通常は、照明装置１０に電力を供給するため、照明ユニット１は、商用電源の電源部に取り付けられるように構成される。
【００６９】
（変形例２）
電源接続部２１の電力供給方法は、上記に限られず、例えば、電源接続部２１は電源３ａから供給される電力を変換せずにそのままスピーカー装置３０や照明装置１０に供給するものであってもよい。配線Ｌ１、配線Ｌ２、信号線Ｌ３も、適宜な形状や構成を採用できる。
【００７０】
（変形例３）
照明装置１０の形状や構成は、上記に限られず適宜な形状や構成を採用できる。例えば、照明装置１０は、上記実施の形態では、下方から見た場合に、円形状であるが、四角形状などであってもよい。また、発光部１３は、蛍光管、有機ＥＬ照明などであってもよい。
【００７１】
（変形例４）
吊り下げ部２０の形状や構成は、上記に限られず適宜な形状や構成を採用できる。吊り下げ部２０は、例えば、スピーカー装置３０が照明装置１０の上に位置できるように照明装置１０を吊り下げられればよい。吊り下げ部２０は、例えば、電源接続部２１と、筒状部材２２と、が一体となった構成であってもよい。また、吊り下げ部２０の少なくとも一部（例えば、筒状部材２４）は、照明装置１０（例えば、照明天板１１）と一体に形成されたものであってもよい。吊り下げ部２０は、上記実施の形態のように、照明装置１０の上面から上方（天井３に向かった方向）に延在する構成の他、照明装置１０の内部から、例えば、照明天板１１の中央の貫通孔を通って、上方に延在する構成であってもよい。
【００７２】
（変形例５）
スピーカー装置３０の形状や構成は、上記に限られず適宜な形状や構成を採用できる。スピーカー装置３０は、電池などの内部電源によって動作するものであってもよい。また、例えば、スピーカー装置３０は、音源データを記憶する記憶部などを有し、例えば、リモコンからの信号に応答して、記憶部に記憶された音源データを再生することよって、音声出力を行うものであってもよい。
【００７３】
（変形例６）
スピーカー装置３０は、例えば、吊り下げ部２０を囲む形状であればよく、略円筒形状に限られない。例えば、水平方向に切ったときの断面が、三角形状、四角形状などの多角形状の、所定の厚さを持つ筒状の形状であってもよい。また、スピーカー装置３０は、例えば、吊り下げ部２０を囲む形状として、吊り下げ部２０を３６０度連続的に囲む形状の他、例えば、隙間を有して、吊り下げ部２０を一部囲むものであってもよい。この場合の隙間は、スピーカー装置３０が水平方向に移動したときに吊り下げ部２０が隙間から抜けない幅とするとよい。吊り下げ部２０は、天井３と照明装置１０との間に配置されれば、吊り下げ部２０を囲む形状でなくてもよい。
【００７４】
（変形例７）
振動吸収部材４２、４３ａ、４３ｂ、４４、及び、回転抑制部材４１の形状、取り付け位置などは適宜変更可能である。例えば、振動吸収部材４２は、円弧形状、円環状などになっていてもよい。また、振動吸収部材４３ａは、フランジ３１とネジ９ａの頭との間に挟まれればよく、ワッシャーのようなドーナツ形状となっていなくてもよい。例えば、Ｃの字状、直方体形状、半円環形状のもので、ネジ９ａの頭以外の部分の周囲に配置されて挟み込まれてもよい。振動吸収部材４３ｂは、フランジ３１と照明装置１０との間に挟まれて、フランジ３１が照明装置１０に実質的に接触しない（つまり、振動を伝達する接触をしない）ようにするものであればよく、ワッシャーのようなドーナツ形状となっていなくてもよい。例えば、Ｃの字状、直方体形状、半円環形状のもので、ネジ９ａの頭以外の部分の周囲に配置されて挟み込まれてもよい。振動吸収部材４４の位置は、凹部３２ａ、３２ｂから離れた位置に配置されてもよい。また、上記実施の形態では、スピーカー装置３０の内面の直径の方が、筒状部材２４の直径よりも長くなっているので、振動吸収部材４４がなくても、スピーカー装置３０の内面と、筒状部材２４とは、接触しないようになっているので、振動吸収部材４４は必ずしも必要ない。回転抑制部材４１も、円弧形状、円環形状などにしてもよい。また、回転抑制部材４１ａ、４１ｂは、形状を合わせていなくてもよい。
【００７５】
（変形例８）
スピーカー装置３０は、例えば、音声出力によって発生する振動吸収部材を介して照明装置１０に固定されればよく、例えば、振動吸収部材４２とスピーカー装置３０、及び、振動吸収部材４２と照明装置１０を、両面テープや接着剤（粘着剤を含む）などで互いに固定することによって、スピーカー装置３０を照明装置１０に固定してもよい。この場合には、フランジ３１やネジ９ａ、振動吸収部材４３ａ、４３ｂは省略してもよい。また、フランジ３１を照明装置１０に締め付ける他の固定手段（例えば、釘など。なお、ネジには、ナットとともに使用されるボルトなども含む。）によって固定してもよい。なお、このように、締め付けて固定する（締め付け固定）とは、上下方向（フランジ３１などの厚さ方向など）のうちの少なくとも一方に沿ってかかる力によって固定することをいう。スピーカー装置３０は、照明装置１０の上（天井側）に配置されればよく、例えば、音声出力によって発生する振動吸収部材を介して照明装置１０に載置されるのみで、固定されなくてもよい。また、締め付ける部分は、スピーカー装置の所定の部分であればよく、フランジ３１のようにフランジとしなくともよく、例えば、スピーカー装置３０の外面に凹部を設け、その下部にネジ９ａなどが挿通される板状部材を設け、この部分で締め付け固定を行ってもよい。また、振動吸収部材４２、４３ａ、４３ｂのうちのいずれか省略してもよい。
【００７６】
（変形例９）
電源接続部２１は、照明ユニット１の取り付け対象に取り付けられる取り付け部材であればよく、他のものであってもよい。また、筒状部材２４も、取り付け部材に吊り下げられる吊り下げ部本体であればよい。上記第１の引っ掛け部及び上記第２の引っ掛け部は、フランジで構成されるものの他、第１筒状部材２２及び第２筒状部材２３（又は筒状部材２４）などの内面に設けられた凹部などであってもよい。このような場合、電源接続部２１に対して筒状部材２４が回転しないように、凹部の形状を、ツメ２１ｂなどの取り付け部材の所定部であって第１の引っ掛け部及び第２の引っ掛け部に引っ掛かる部分の形状に合わせるようにしてもよい。
【００７７】
上記の実施形態などの一部又は全部は、以下の付記のようにも記載されうるが、以下に限られない。
【００７８】
（付記１）
照明装置と、
前記照明装置を吊り下げる吊り下げ部と、
前記照明装置の上に配置され、音声出力するスピーカー装置と、
を備え、
前記スピーカー装置と前記照明装置との間に前記スピーカー装置の音声出力によって発生する振動を吸収する振動吸収部材が介在している、
ことを特徴とする照明ユニット。
【００７９】
（付記２）
前記スピーカー装置は、所定部分を前記照明装置に締め付けることによって、前記照明装置に固定され、
前記振動吸収部材は、前記所定部分と前記照明装置とに挟まれている、
ことを特徴とする付記１に記載の照明ユニット。
【００８０】
（付記３）
前記所定部分は、前記照明装置にネジによって締め付けられ、
前記ネジの頭と前記スピーカー装置との間に、前記スピーカー装置の振動を吸収する第２の振動吸収部材が挟まれている、
ことを特徴とする付記２に記載の照明ユニット。
【００８１】
（付記４）
前記スピーカー装置は、前記吊り下げ部を囲む形状であり、
前記スピーカー装置と向き合う前記吊り下げ部の外面と、前記吊り下げ部と向き合う前記スピーカー装置の内面と、の間には、前記スピーカー装置の振動を吸収する第３の振動吸収部材が介在している、
ことを特徴とする付記１乃至３のいずれかに記載の照明ユニット。
【００８２】
（付記５）
前記吊り下げ部は、前記照明ユニットの取り付け対象に取り付けられる取り付け部材と、前記取り付け部材に吊り下げられる吊り下げ部本体と、を有し、
前記吊り下げ部本体は、中空となっており、当該中空を形成する内面には前記取り付け部材の所定部が引っ掛かる第１の引っ掛け部及び前記第１の引っ掛け部よりも剛性の高い第２の引っ掛け部が前記吊り下げ部本体の延在方向に沿って並んで設けられ、
前記第２の引っ掛け部の方が前記第１の引っ掛け部よりも前記取り付け対象側に位置している、
ことを特徴とする付記１乃至４のいずれかに記載の照明ユニット。
【符号の説明】
【００８３】
１  照明ユニット
１０  照明装置
１１  照明天板
１２  カバー
１３  発光部
１４  制御部
２０  吊り下げ部
２１  電源接続部
２１ａ  電源接続部本体
２１ｂ  ツメ
２２  第１筒状部材
２２ｂ  上端フランジ
２３  第２筒状部材
２３ｂ  上部フランジ
２４  筒状部材
３０  スピーカー装置
３１  フランジ
３２ａ  弾性部分
３２ｂ  弾性部分
３８  スピーカー
４１  回転抑制部材
４２  振動吸収部材
４３  振動吸収部材
４４  振動吸収部材
【図１】
2014099378.tif 000003
【図２】
2014099378.tif 000004
【図３】
2014099378.tif 000005
【図４】
2014099378.tif 000006
【図５】
2014099378.tif 000007
【図６】
2014099378.tif 000008